(57)【要約】      （修正有）【課題】襟に着脱容易に装着して、襟の保護を図ると共に、襟自体のデザイン性向上も併せて図る保護襟を提供する。【解決手段】襟台部分１２と襟羽部分１３を有する襟１１に着脱可能に装着して用いる保護襟であって、襟台部分１２の内周面を覆う襟台保護部２と、襟羽部分１３の外表面を覆う襟羽保護部３とを有する。襟台保護部２は、襟台部分１２の内周面に沿った長さよりも短く形成され、襟羽保護部３は、襟羽部分１３の外表面の面積よりも小さく形成され、襟台保護部２と襟羽保護部３との境界線に沿って折り目が付けられている。【選択図】図１
0003170261.tif 000002
【実用新案登録請求の範囲】
【請求項１】
襟台部分と襟羽部分を有する襟に着脱可能に装着して用いる保護襟であって、
前記襟台部分の内周面を覆う襟台保護部と、襟羽部分の外表面を覆う襟羽保護部とを有し、
前記襟台保護部は、前記襟台部分の内周面に沿った長さよりも短く形成され、
前記襟羽保護部は、前記襟羽部分の外表面の面積よりも小さく形成され、
前記襟台保護部と襟羽保護部との境界線に沿って折り目が付けられている、ことを特徴とする保護襟。
【請求項２】
前記襟羽保護部の前縁部は、襟羽部分の前縁部よりも後退した位置にある、ことを特徴とする請求項１に記載の保護襟。
【請求項３】
前記襟羽保護部は、素材、模様、形状のうちの少なくとも一つが襟羽部分と異なる、ことを特徴とする請求項１または２に記載の保護襟。
【請求項４】
前記襟台保護部は、吸湿性の良い素材を含む、ことを特徴とする請求項１〜３の何れかに記載の保護襟。
【請求項５】
前記襟台保護部の裏面側に、襟台部分との位置ずれを防止するためのずれ防止部が設けられている、ことを特徴とする請求項１〜４の何れかに記載の保護襟。
【請求項６】
前記襟が、シャツや作業衣等の衣類の襟であることを特徴とする請求項１〜５の何れかに記載の保護襟。
【考案の詳細な説明】
【技術分野】
【０００１】
本考案は、シャツの襟部分に着脱容易に装着して使用する保護襟の技術に関する。
【背景技術】
【０００２】
例えばワイシャツやカラーシャツ、作業衣などの襟付き衣類は、襟の内側部分が汚れ易いため、毎日のように交換して使用することが多い。そのため、特に襟の内側部分をはじめとする襟全体が傷みやすい。
【０００３】
この点の対策として、従来から種々の方法が考えられている。
特許文献１には、ワイシャツの襟の内側に差し込む差込止め部の上辺縁に、屈曲自在部を介してワイシャツの襟と同じ大きさ形の模擬襟を一体に設けた、シャツの替え襟の技術が記載されている。
【０００４】
特許文献２には、シャツ襟の汚れ・型崩れ防止カラーの技術が記載されている。これは、人の首部分と直接接するシャツ襟の内周面に沿って差し込むカラーＡと、シャツ襟の内周面の裏側になる、シャツ襟外周面に沿って差し込むカラーＢと、これらカラーＡ，Ｂの中央部分をつなぎ止めるロゴカラーと、カラーＡ，Ｂの先端部どうしを止める止めカラーと、を備えたものである。
【先行技術文献】
【特許文献】
【０００５】
【特許文献１】実開平０５−５４５０１号公報
【特許文献２】実用新案登録第３１３１７８２号公報
【考案の概要】
【考案が解決しようとする課題】
【０００６】
特許文献１に記載のワイシャツの替え襟の場合、着用しているワイシャツの襟に、容易に被せて利用することができる利点はあるものの、ワイシャツの襟と替え襟とがほぼ同じ大きさ・形状であるため、襟全体の厚さも２倍になり、襟の外観が低下する問題がある。即ち、ただ単にワイシャツの襟が分厚くなった感じを受けてしまうため、デザイン的にもバランスが悪くなる問題がある。
【０００７】
特許文献２に記載のシャツ襟の汚れ・型崩れ防止カラーの場合、シャツ襟の内周面に沿って差し込むカラーＡと、シャツ襟の外周面に沿って差し込むカラーＢとによって、シャツ襟の汚れや型崩れを防止できる利点がある。
【０００８】
しかしながら、この特許文献２に記載のものでは、二つのカラーＡ，Ｂや、カラーＡ，Ｂどうしを止めるロゴカラー及び止めカラーを必要とするため、部品点数が多くなる上に、複数の掛け止め手段も必要となり、その分、制作性及び着脱作業性が悪くなる問題がある。
【０００９】
よって、本考案は、シャツの襟部分に着脱容易に装着して、襟の保護を図ると共に、襟自体のデザイン性向上も併せて図ることができる保護襟を提供することを課題とする。
【課題を解決するための手段】
【００１０】
上記課題を解決するために、本考案は、襟台部分と襟羽部分を有する襟に着脱可能に装着して用いる保護襟であって、
襟台部分の内周面を覆う襟台保護部と、襟羽部分の外表面を覆う襟羽保護部とを有し、
襟台保護部は、襟台部分の内周面に沿った長さよりも短く形成され、
襟羽保護部は、襟羽部分の外表面の面積よりも小さく形成され、
襟台保護部と襟羽保護部との境界線に沿って折り目が付けられている、ことを特徴としている。
【００１１】
本考案の保護襟によれば、襟台部分の内周面を覆う襟台保護部と、襟羽部分の外表面を覆う襟羽保護部とを有する構成であるので、構成を極めて簡素化することができる。また、襟台保護部は襟台部分の内周面に沿った長さよりも短く形成され、襟羽保護部は襟羽部分の外表面の面積よりも小さく形成され、襟台保護部と襟羽保護部との境界線に沿って折り目が付けられているので、シャツ等の襟部分に着脱容易に装着して、襟の保護を図ると共に、襟自体のデザイン性向上も併せて図ることができる。
【００１２】
本考案の好ましい形態では、前記襟羽保護部の前縁部が、襟羽部分の前縁部よりも後退した位置にあることを特徴とする。このようにすることで、襟羽部分に襟羽保護部が完全に重ならない構成とすることができる。これにより、従来のように襟全体の厚さが２倍になり、襟の外観が低下するといった問題を回避できる。即ち、襟全体を二段襟の形態として、デザイン的にもバランス的にも優れた襟を構成することができる。
【００１３】
本考案の好ましい形態では、前記襟羽保護部は、素材、模様、形状のうちの少なくとも一つが襟羽部分と異なる構成としたことを特徴とする。このようにすることで、デザイン的にもバランス的にも優れた襟を構成することが可能になる。
【００１４】
本発明の好ましい形態では、前記襟台保護部が、吸湿性の良い素材を含む構成とすることを特徴とする。このように構成した場合、特に吸湿性の良い素材の吸湿作用により作業衣の保護襟としての機能を効果的に発揮させることができる。
【００１５】
本発明の好ましい形態では、前記襟台保護部の裏面側に、襟台部分との位置ずれを防止するためのずれ防止部が設けられていることを特徴としている。このように襟台保護部の裏面側に、襟台部分との位置ずれ防止部を設けることで、ずれ防止部自体を、単に摩擦を利用したずれ防止部や、粘着剤を利用したずれ防止部などの簡易な構造とすることができる。
【００１６】
本発明の好ましい形態では、前記襟が、シャツや作業衣等の衣類の襟であることを特徴としている。
【考案の効果】
【００１７】
本考案によれば、襟台部分と襟羽部分を有する襟に着脱容易に装着して、襟の保護を図ると共に、襟自体のデザイン性向上も併せて図ることができる。
【図面の簡単な説明】
【００１８】
【図１】本考案の実施形態１に係る保護襟をシャツの襟に装着した状態の斜視図である。
【図２】本考案の実施形態１に係る保護襟の斜視図である。
【図３】図２のＡ−Ａ線に沿った断面図である。
【図４】襟台部分の他の構造例を示す断面図である。
【図５】襟台部分のさらに他の構造例を示す断面図である。
【図６】本考案の実施形態２に係る保護襟をシャツの襟に装着した状態の斜視図である。
【図７】本考案の実施形態２に係る保護襟の斜視図である。
【図８】本考案の実施形態３に係る保護襟をワイシャツの襟に装着した状態の斜視図である。
【図９】本考案の実施形態３に係る保護襟の斜視図である。
【図１０】本考案の実施形態に係る襟羽保護部の他の形状例を示す斜視図である。
【図１１】本考案の実施形態に係る襟羽保護部の更に他の形状例を示す斜視図である。
【考案を実施するための形態】
【００１９】
以下、本考案の実施形態について図１ないし図１１を参照して説明する。
＜実施形態１＞
図１および図２は、本考案をカラーシャツの襟に着脱自在に装着する保護襟に適用した例を示すものである。図１は保護襟を装着した状態の斜視図であり、図２は保護襟全体の斜視図である。図３は保護襟の断面図を示している。
【００２０】
これらの図において、１は保護襟を示している。この保護襟１は、図１に示すように、襟台部分１２と襟羽部分１３を有する襟１１に着脱容易に装着して用いられる。即ち、この保護襟１は、襟台部分１２の内周面を覆う襟台保護部２と、襟羽部分１３の外表面を覆う襟羽保護部３とを有している。
【００２１】
襟台保護部２は、襟台部分１２の内周面に沿った長さよりも短く形成され、襟羽保護部３は、襟羽部分１３の外表面の面積よりも小さく形成され、襟台保護部１２と襟羽保護部１３との境界線に沿って折り目が付けられている。
【００２２】
次いで、これらの詳細について説明する。保護襟１を構成する襟台保護部２と襟羽保護部３は、この実施形態１では一枚の模様３ａ付き布地により形成されている。この模様３ａはカラーシャツの襟１１とは異なる模様や色により形成されている。
【００２３】
襟台保護部２には、図３に示すように、その内周面に沿って、吸湿性の良い布や不織布等からなる吸湿層２ａが設けられている。そして、襟台保護部２と襟羽保護部３の境界部分から折り曲げられて、しっかりとした折り目４が付けられている。この折り目４の位置が、襟１１に対する保護襟１の装着時における襟山の高さとなる。
【００２４】
この実施形態１の保護襟１においては、襟台部分１２の内周面を覆う襟台保護部２と、襟羽部分１３の外表面を覆う襟羽保護部３とを有する構成として、その構成を極めて簡素化している。また、襟台保護部２は襟台部分１２の内周面に沿った長さよりも短く形成されている。さらに、襟羽保護部３は襟羽部分１３の外表面の面積よりも小さく形成され、しかも、襟台部分１２と襟羽部分１３との境界線に沿って折り目４を付けることで、シャツ等の襟１１部分に着脱容易に装着して、襟１１の保護を図ると共に、襟自体のデザイン性向上も併せて図れるように配慮している。しかも、保護襟１に折り目４を付けてあることで、これを襟１１に装着した状態では、襟１１に馴染んでしっかりと密着する形態となるため、襟１１に対する位置ずれもほとんど生じることがない。
【００２５】
また、この実施形態１では、図１に示すように、襟羽保護部３の前縁部３ｂが、襟羽部分１３の前縁部１３ｂよりも後退した位置にある。このようにすることで、襟羽部分１３に襟羽保護部３が完全に重ならない構成としている。これにより、特許文献１に記載のように襟全体の厚さが２倍になり、襟の外観が低下するといった問題を回避している。即ち、襟１全体を二段襟の形態として、デザイン的にもバランス的にも優れた襟を構成している。
【００２６】
また、襟羽保護部３は、素材、模様、形状、色彩のうちの少なくとも一つが、襟羽部分１３と異なる構成となっている。この実施形態１では、模様３ａを襟羽部分１３と異なる構成としている。この構成とすることで、図示例のようにデザイン的にもバランス的にもきわめて優れた襟を構成することが可能になる。
【００２７】
また、襟台保護部３は、吸湿性の良い素材を含む構成とすることで、その吸湿作用により作業衣の保護襟としての機能を効果的に発揮させることができるように配慮している。
【００２８】
なお、襟台保護部２の裏面側に、図４に示すように、襟台部分１２との位置ずれを防止するためのずれ防止部５を設けてることも好ましい。このように襟台保護部２の裏面側に、襟台部分１２との位置ずれ防止部５を設けることで、ずれ防止部５自体を、単に摩擦を利用したずれ防止部や、粘着剤を利用したずれ防止部などの簡易な構造としている。
【００２９】
また、襟台保護部２の裏面側全体に、図５に示すように、襟台部分１２との位置ずれを防止するためのずれ防止部５を設けることもできる。
【００３０】
この実施形態１によれば、襟台部分１２と襟羽部分１３を有する襟１１に着脱容易に装着して、襟の保護を図ると共に、襟自体のデザイン性向上も併せて図ることができる。
【００３１】
＜実施形態２＞
図６および図７は、本考案をワイシャツの襟１１に着脱自在に装着する保護襟１に適用した例を示すものである。図６は保護襟１を装着した状態の斜視図であり、図７は保護襟全体の斜視図である。なお、これらの図において、図１および図２と基本的に同一構成要素については同一の符号を付してその説明を簡略化する。
【００３２】
この実施形態２における保護襟１も、襟台保護部２と襟羽保護部３とを有している。しかし、この実施形態２では、実施形態１に比べて、襟羽保護部３の面積を襟羽部分３の面積よりもさらに小さく形成した点に特徴がある。したがって、襟羽保護部３の前縁部３ｂは、襟羽部分１３の前縁部１３ｂからさらに大きく後退している。色彩については、ワイシャツの襟１１と同じ色（例えば白）でもよいが、デザイン性や色彩に配慮して、微妙に異なる色彩のものが用いられている。もちろん、積極的に異ならせた色彩のものを用いても良い。
【００３３】
＜実施形態３＞
図８および図９は、本考案を婦人用のシャツの襟１１に着脱自在に装着する保護襟１に適用した例を示すものである。図８は保護襟１を装着した状態の斜視図であり、図９は保護襟全体の斜視図である。なお、これらの図において、図１および図２と基本的に同一構成要素については同一の符号を付してその説明を簡略化する。
【００３４】
この実施形態３における保護襟１も、襟台保護部２と襟羽保護部３とを有している。しかし、この実施形態３では、実施形態２に比べて、襟羽保護部３の面積を襟羽部分３の面積よりもさらに小さく形成した点に特徴がある。また、襟羽保護部の前縁部３ｂには、襟羽部分１３の形状に対応させて丸みを付けている。模様や色彩については、デザイン性や色彩に配慮して、微妙に異なるものや積極的に異ならせたものが用いられている。
【００３５】
なお、これらの実施形態２、３においても、襟台部分１２と襟羽部分１３を有する襟１１に着脱容易に装着して、襟の保護を図ると共に、襟自体のデザイン性向上も併せて図ることができる。
【００３６】
＜襟羽保護部の他の形状＞
図１０は、襟羽保護部４の他の形状例を示すものである。この図に示す例では、襟羽保護部３の前縁部から後方に向かう下縁部にかけて、ノコギリ状（サメの歯形状）の装飾パターン３０を形成したものである。
また、図１１は、襟羽保護部３の前縁部から後方に向かう下縁部にかけて、半円形状に連なる（ウロコ形状）装飾パターン３０を形成したものである。
【００３７】
このように構成することで、汚れ防止等の保護襟１１としての機能を十分に保持しつつ、保護襟１１全体のデザイン性をさらに高めることができる。
なお、この装飾パターンとしては、種々の装飾パターンを採用することができる。例えば、タコ、イルカ、ラッコ、アシカ、クジラなどの海洋生物、犬、猫、象、ライオン、クマなどの動物、ギター、バイオリン等の楽器類の他に、音符や星など、種々の疑似形状を採用することができる。
【符号の説明】
【００３８】
１  保護襟
２  襟台保護部
２ａ  吸湿層
３  襟羽保護部
３ａ  模様
３ｂ  前縁部
４  折り目
５  ずれ防止部
１１  襟
１２  襟台部分
１３  襟羽部分
１３ｂ  前縁部
３０  装飾パターン
【図１】
0003170261.tif 000003
【図２】
0003170261.tif 000004
【図３】
0003170261.tif 000005
【図４】
0003170261.tif 000006
【図５】
0003170261.tif 000007
【図６】
0003170261.tif 000008
【図７】
0003170261.tif 000009
【図８】
0003170261.tif 000010
【図９】
0003170261.tif 000011
【図１０】
0003170261.tif 000012
【図１１】
0003170261.tif 000013